(57)【要約】【課題】スピーカの発音体に与えられたエネルギを無駄なく忠実に音に変えることが可能なスピーカ載置板およびこれを用いたスピーカスタンドの提供。【解決手段】スピーカ本体１０を収容したスピーカボックス１１を載置するスピーカ載置板としての天板１と、この天板１を支持する脚体としての支柱２と、この支柱２の底部に固定された底板３とを備え、天板１は、この天板１に載置するスピーカボックス１１のスピーカ本体１０の正面側に配置された制動板４ａと、スピーカ本体１０の背面側に配置された制動板４ｂ，４ｃとを備え、これらの制動板４ａ，４ｂ，４ｃによってスピーカボックス１１の前後を挟持することにより、スピーカボックスが前後に振動するのを防止する。【選択図】  図１
2005039730.tif 000002
【特許請求の範囲】
【請求項１】
スピーカ本体を収容したスピーカボックスを載置するスピーカ載置板であって、
載置されるスピーカボックスのスピーカ本体の正面側および背面側に配置され、スピーカボックスを挟持する制動板を備えたスピーカ載置板。
【請求項２】
前記制動板が３個である請求項１記載のスピーカ載置板。
【請求項３】
前記制動板を、前記スピーカ本体の正面側に１個、背面側に２個備えた請求項２記載のスピーカ載置板。
【請求項４】
請求項１から３のいずれかに記載のスピーカ載置板と、
同スピーカ載置板を支持する脚体と、
同脚体の底部に固定された底板とを備え、
前記スピーカ載置板と脚体とを前記脚体より細い柱体により連結した
スピーカスタンド。
【請求項５】
前記脚体は、中にガラス繊維樹脂を充填したものである
請求項４記載のスピーカスタンド。
【発明の詳細な説明】
【技術分野】
【０００１】
本発明は、スピーカボックスを載せるスピーカ載置板およびこれを用いたスピーカスタンドに関する。
【背景技術】
【０００２】
デジタル技術の発展に伴い、ＣＤ、ＤＶＤやデジタル放送など、家庭での音響再生は目覚ましい進歩を果たしている。ましてや、数本のスピーカを同時に鳴らす必要のある多チャンネル再生等も行われているため、国内の居住環境に適したスピーカは小型にならざるを得ない。小型スピーカのスピーカボックスは高さ５０ｃｍ程度であり、床に置いて聞くには低すぎるため、スタンド上に載置する必要がある。
【０００３】
スピーカスタンドにおいては、スピーカの本来の音質を損なうことなくスピーカボックスを載せることができるものが望まれている。例えば、特許文献１には、スピーカボックスを載せる載置盤を支持する脚の中空室に、黒鉛を含む鋳鉄を主要成分とする多数の粉粒体を装入することにより、スピーカの良好なる音質を得るようにしたスピーカスタンドが記載されている。
【０００４】
【特許文献１】特開平８−２３７７８０号公報
【発明の開示】
【発明が解決しようとする課題】
【０００５】
ところが、特許文献１に記載のように、従来のスピーカスタンドでは、天板のスピーカ載置面上にスピーカボックスを直接置くだけである。そのため、音を出すためにスピーカの発音体が前後すると、この反作用としてスピーカボックスが前後に動いてしまい、発音体の振動エネルギが減衰してしまうことになる。すなわち、スピーカの発音体とともにスピーカボックスが振動してしまうため、音の忠実な再生ができないという問題がある。
【０００６】
そこで、本発明においては、スピーカの発音体に与えられたエネルギを無駄なく忠実に音に変えることが可能なスピーカ載置板およびこれを用いたスピーカスタンドを提供することを目的とする。
【課題を解決するための手段】
【０００７】
本発明のスピーカ載置板は、スピーカ本体を収容したスピーカボックスを載置するスピーカ載置板であって、載置されるスピーカボックスのスピーカ本体の正面側および背面側に配置され、スピーカボックスを挟持する制動板を備えたものである。このスピーカ載置板は、従来のスピーカスタンドなどの上に固定して使用する。
【０００８】
ここで、スピーカ本体とは、一般にコーンと称される振動板、この振動板を保持するフレーム、電気エネルギを振動板の駆動力に変換するコイルや、コイルに電気エネルギを与えるマグネットなどの発音のためのユニットをいう。また、振動板は、振動により音を発生する発音体であり、スピーカ本体の正面側とはこの振動板の表面側をいい、背面側とは振動板の裏面側をいう。スピーカ本体は、スピーカボックスに取り付けることによって初めてその性能を発揮し、一般にスピーカと称されるのは、この状態である。
【０００９】
スピーカの発音体の振動によってスピーカ本体がその正面側および背面側に振動し、この振動に伴ってスピーカボックスが前後に振動しようとするが、本発明のスピーカ載置板では、スピーカボックスの前後を制動板によって挟持することで、スピーカ本体の正面側および背面側（前後方向）を固定する。これにより、スピーカ発音体が振動しても、スピーカボックスは前後に振動しなくなる。
【００１０】
ここで、制動板は、載置されるスピーカボックスのスピーカ本体の正面側および背面側にそれぞれ何個備えてもよいが、合計で３個であることが望ましい。３個の制動板でスピーカボックスを３点支持することで、がたつきなく、より安定してスピーカボックスを挟持し、その振動を抑止することができる。
【００１１】
また、制動板は、スピーカ本体の正面側に１個、背面側に２個備えたものとするのが望ましい。スピーカの発音体から音が発する際、その初動に対して概ねスピーカ本体の背面側に向かって力が加わることが多いため、背面側を正面側よりも多くの制動板で押さえることで、より制動効果を高めることができる。
【００１２】
本発明のスピーカスタンドは、上記本発明のスピーカ載置板と、このスピーカ載置板を支持する脚体と、この脚体の底部に固定された底板とを備え、スピーカ載置板と脚体とをこの脚体より細い柱体により連結したものである。
【００１３】
本発明のスピーカスタンドによれば、小型のスピーカを脚により高い位置に配置する際、上記本発明のスピーカ載置板と脚体とが、脚体より細い柱体によって連結されることで、スピーカ載置板は脚体よりも小さい接触面積で支持されることになるため、スピーカ載置板から脚体に伝わる振動エネルギが小さくなる。
【００１４】
ここで、脚体は、中にガラス繊維樹脂を充填したものであることが望ましい。ガラス繊維樹脂は、その細い繊維によって耐衝撃性や曲げ疲労に強く、エネルギ伝播の際に振動を吸収するという性質を有するため、スピーカ載置板から脚体へ伝わる振動エネルギが摩擦熱へと交換され、不要な振動が脚体から底板へ伝わるのが防止される。
【発明の効果】
【００１５】
（１）載置されるスピーカボックスのスピーカ本体の正面側および背面側に配置され、スピーカボックスを挟持する制動板を備えたスピーカ載置板としたことにより、スピーカの発音体の振動によってスピーカ本体がその正面側および背面側に振動し、この振動に伴って振動しようとするスピーカボックスの振動を阻止することができる。これにより、スピーカの発音体の振動エネルギの減衰が抑えられ、スピーカの発音体に与えられた振動エネルギを無駄なく忠実に音に変えることが可能となる。
【００１６】
（２）上記スピーカ載置板と、スピーカ載置板を支持する脚体と、脚体の底部に固定された底板とを備え、スピーカ載置板と脚体とを脚体より細い柱体により連結したスピーカスタンドとしたことにより、スピーカ載置板が脚体よりも小さい接触面積で支持されるため、スピーカ載置板から脚体に伝わる振動エネルギが小さくなり、さらにスピーカの発音体の振動エネルギの減衰を抑えて、スピーカの発音体に与えられたエネルギを無駄なく忠実に音に変えることが可能となる。
【００１７】
（３）脚体は、中にガラス繊維樹脂を充填したものとすることで、スピーカ載置板から脚体へ伝わる振動エネルギを摩擦熱へと交換し、不要な振動が脚体から底板へ伝わるのを防止して、より忠実な音を再生することが可能となる。
【発明を実施するための最良の形態】
【００１８】
図１は本発明の実施の形態におけるスピーカスタンドの斜視図、図２は一部を断面にして示す正面図である。
【００１９】
図１において、本発明の実施の形態におけるスピーカスタンドは、スピーカ本体１０を収容したスピーカボックス（エンクロージャ）１１を載置するスピーカ載置板としての天板１と、この天板１を支持する脚体としての支柱２と、この支柱２の底部に固定された底板３とを備える。
【００２０】
天板１は、スピーカボックス１１を挟持する３個の長方形の板状の制動板４ａ，４ｂ，４ｃを備える。制動板４ａは、天板１に載置するスピーカボックス１１のスピーカ本体１０の正面側に配置されている。制動板４ｂ，４ｃは、天板１に載置するスピーカボックス１１のスピーカ本体１０の背面側に配置されている。
【００２１】
天板１および制動板４ａ，４ｂ，４ｃは、アルミニウム合金（例えば、ＪＩＳ（日本工業規格）７０７５等の材料）により形成されたものである。アルミニウム合金は、鉄（比重７．８）に比べて遙かに小さい比重２．７であり、軽量であるため、このアルミニウム合金により形成された天板１および制動板４ａ，４ｂ，４ｃは、スピーカボックス１１から受け止めた振動エネルギを速やかに開放する。
【００２２】
図２に示すように、支柱２は、鉄製の中空パイプ２ａにガラス繊維樹脂（ＦＲＰ）２ｂを充填したものである。底板３は、鉄製である。底板３は、床面（図示せず。）等の上にそのまま置くか、あるいは着脱可能なスパイク５を用いて固定する。スパイク５を用いることで、床面が堅い接地面である場合にも対応可能である。
【００２３】
天板１と支柱２とは、支柱２より細い柱体６により連結されている。支柱２の直径が５０〜７０ｍｍの場合、柱体６の直径は、この支柱２の直径の１５〜２５％に相当する１２．５〜１８ｍｍ程度である。また、柱体６は本実施形態においては鉄製としているが、これに限るものではない。
【００２４】
上記構成のスピーカスタンドは、天板１上にスピーカボックス１１を載置して使用する。このとき、スピーカボックス１１のスピーカ本体１０の正面側が、天板１の制動板４ａ側となるように配置する。天板１上に載置したスピーカボックス１１は、制動板４ａ，４ｂ，４ｃをそれぞれ天板１に止めるビス７を締めることで、制動板４ａ，４ｂ，４ｃにより３点で挟持される。
【００２５】
これにより、スピーカの発音体（図示せず。）の振動によってスピーカ本体１０がその正面側および背面側に振動し、この振動に伴ってスピーカボックス１１が前後に振動しようとするが、本実施形態におけるスピーカスタンドでは、制動板４ａ，４ｂ，４ｃによってスピーカボックス１１の前後が挟持され、スピーカ本体１０の正面側および背面側（前後方向）が固定されているため、スピーカボックス１１の振動が阻止される。
【００２６】
そのため、スピーカボックス１１は前後に振動せず、スピーカの発音体の振動エネルギの減衰が抑えられる。これにより、スピーカの発音体に与えられた振動エネルギを無駄なく忠実に音に変えることが可能となり、スピーカの良好な音質を得ることができる。
【００２７】
また、本実施形態におけるスピーカスタンドでは、３個の制動板４ａ，４ｂ，４ｃによってスピーカボックス１１を３点挟持しているため、４個以上の制動板により挟持する場合に比べてがたつきがない。そのため、より安定してスピーカボックス１１を支持することができ、スピーカボックス１１の振動をさらに抑止することができる。
【００２８】
さらに、本実施形態におけるスピーカスタンドでは、スピーカボックス１１の正面側を１個の制動板４ａ、背面側を２個の制動板４ｂ，４ｃにより固定しているため、スピーカの発音体の初動に対して概ねスピーカ本体の背面側に向かって加わる力をしっかりと押さえることができるため、より制動効果が高い。
【００２９】
また、本実施形態におけるスピーカスタンドでは、天板１と支柱２とが、支柱２より細い柱体６によって連結されているため、天板１は支柱２よりも小さい接触面積で支持されることになる。そのため、天板１から支柱２に伝わる振動エネルギが小さくなり、スピーカの発音体に与えられた振動エネルギをさらに無駄なく忠実に音に変えることが可能である。
【００３０】
また、本実施形態におけるスピーカスタンドでは、鉄製の支柱２の中に、ガラス繊維樹脂２ｂを充填しているため、天板１から支柱２へ伝わる振動エネルギが摩擦熱へと交換される。これにより、不要な振動が支柱２から底板３へ伝わるのが防止され、さらに天板３から床面へ伝わるのが防止されるため、床面が振動せず、より忠実な音を再生することが可能である。
【００３１】
また、本実施形態におけるスピーカスタンドでは、天板１等がアルミニウム合金製であるため、その特質上の制動時間の短さにより、制動板４ａ，４ｂ，４ｃでスピーカボックス１１の振動を抑えた分のエネルギを速やかに拡散することができる。これにより、不要な振動が天板１から支柱２へ伝わるのが防止され、より忠実な音を再生することが可能である。なお、音響成分によっては天板１等の材質を変えることも可能である。
【００３２】
なお、本実施形態におけるスピーカスタンドの天板１は、図３に示すように既存のスピーカスタンド１２と組み合わせて使用することも可能である。天板１は、図３に示すように既存のスピーカスタンド１２の天板１３を外し、柱体６を介して固定したり、直に固定したりして使用する。このように既存のスピーカスタンド１２と組み合わせて使用することで、利用者は天板１のみを新たに準備してより安価に良好な音質を得ることができる。
【産業上の利用可能性】
【００３３】
本発明のスピーカ載置板は、既存のスピーカスタンド等の上にスピーカボックスを載せる際に有用である。また、本発明のスピーカスタンドは、小型スピーカのスピーカボックスを所定の高さに保持する際に有用である。
【図面の簡単な説明】
【００３４】
【図１】本発明の実施の形態におけるスピーカスタンドの斜視図である。
【図２】図１のスピーカスタンドの一部を断面にして示す正面図である。
【図３】既存のスピーカスタンドを利用した例を示す正面図である。
【符号の説明】
【００３５】
１  天板
２  支柱
２ａ  中空パイプ
２ｂ  ガラス繊維樹脂（ＦＲＰ）
３  底板
４ａ，４ｂ，４ｃ  制動板
５  スパイク
６  柱体
７  ビス
１０  スピーカ本体
１１  スピーカボックス
【図１】
2005039730.tif 000003
【図２】
2005039730.tif 000004
【図３】
2005039730.tif 000005